(57)【要約】【課題】保管及び移動が容易であり、一つのＬＥＤ灯が故障または破損される場合、個別制御が可能で補修作業が容易であり、状況による照度選択及び維持費用の節減が可能な折畳式ＬＥＤ灯を提供する。【解決手段】  折畳式ＬＥＤ灯であって、内側にＬＥＤ素子を備えた回路基板１１を備え、一端部に端子キャップ１２を備え、他端部に第１エンドキャップ１３を備える第１胴体部１、前記第１胴体部１と結合され、内側にＬＥＤ素子を備えた回路基板２１を備え、一端部に端子キャップ２２を備え、他端部に第２エンドキャップ２３を備える第２胴体部２、及び前記第１胴体部１の第１エンドキャップ１３及び第２胴体部２の第２エンドキャップ２３を折畳可能にヒンジ結合する結合片３を含んでなる。【選択図】図１
2014216072.tif 000002
【特許請求の範囲】
【請求項１】
折畳式ＬＥＤ灯において、
内側にＬＥＤ素子を備えた回路基板１１を備え、一端部に端子キャップ１２を備え、他端部に第１エンドキャップ１３を備える第１胴体部１、
前記第１胴体部１と結合され、内側にＬＥＤ素子を備えた回路基板２１を備え、一端部に端子キャップ２２を備え、他端部に第２エンドキャップ２３を備える第２胴体部２、及び
前記第１胴体部１の第１エンドキャップ１３及び第２胴体部２の第２エンドキャップ２３を折畳可能にヒンジ結合する結合片３を含んでなることを特徴とする、折畳式ＬＥＤ灯。
【請求項２】
前記第１胴体部１は、回路基板１１を備えたフレーム１ａと、前記フレーム１ａの下端部に結合され、フレーム１ａに備えられた回路基板１１を収容する形態に結合されるカバー１ｂとからなり、第２胴体部２は、回路基板２１を備えたフレーム２ａと、前記フレーム２ａの下端部に結合され、フレーム２ａに備えられた回路基板２１を収容する形態に結合されるカバー２ｂとからなることを特徴とする、請求項１に記載の折畳式ＬＥＤ灯。
【請求項３】
前記第１胴体部１の第１エンドキャップ１３の一側には外部に突出する形態の結合突起１４が形成され、第２胴体部２の第２エンドキャップ２３の一側には、前記結合突起１４に対応して、結合突起１４が内挿される結合孔２４が形成されることを特徴とする、請求項１に記載の折畳式ＬＥＤ灯。
【請求項４】
前記第１胴体部１の第１エンドキャップ１３の一側には位置補正突起１５が形成され、第２胴体部２の第２エンドキャップ２３の一側には、前記位置補正突起１５に対応して、位置補正突起１５が内挿される位置補正孔２５が形成されることを特徴とする、請求項１に記載の折畳式ＬＥＤ灯。
【請求項５】
前記第１胴体部１の第１エンドキャップ１３の上端部に一部が開放した開口部１８が第１胴体部１の内側に形成された通気孔１７に対応するように形成され、通気孔１７に外部空気を循環させるようにし、第２胴体部２の第２エンドキャップ２３の上端部に一部が開放した開口部２８が第２胴体部２の内側に形成された通気孔２７に対応するように形成され、通気孔２７に外部空気を循環させるようにすることを特徴とする、請求項１に記載の折畳式ＬＥＤ灯。
【請求項６】
前記第１胴体部１の第１エンドキャップ１３の下端部の一側に結合片結束溝１６が形成され、第２胴体部２の第２エンドキャップ２３の下端部一側に結合片結束溝２６が形成され、結合片３がそれぞれの結合片結束溝１６、２６にヒンジ結合されることを特徴とする、請求項１〜５のいずれか一項に記載の折畳式ＬＥＤ灯。
【発明の詳細な説明】
【技術分野】
【０００１】
本発明はＬＥＤ灯に係り、折畳式で形成されて保管及び移動が容易な折畳式ＬＥＤ灯に関する。
【背景技術】
【０００２】
一般に、ＬＥＤ灯は、回路基板に多数のＬＥＤ素子を配置し、外部要因から保護するためにケースなどに内挿される形態に使われている。
【０００３】
このようなＬＥＤ灯の場合、固定型のケースが大部分であるため、保管及び移動が不便な欠点があった。
【０００４】
また、一体型に備えられるＬＥＤ灯は、内側に備えられるＬＥＤ素子の一部が故障などの理由で動作しない場合、ＬＥＤ素子が配置される回路基板全体を取り替えなければならない不便な点もあった。
【０００５】
または、このような欠点を克服するために、多数の回路基板を備えて、回路基板別に別途の制御方式を使ったりしたが、これもやはり同一ケースの内側に多数の基板を備えるため、個々の回路基板の破損の際、ケース全体を分解しなければならない問題のため、補修時まで使うことができない欠点があった。
【発明の概要】
【発明が解決しようとする課題】
【０００６】
このような欠点を克服するため、本発明は移動及び保管が容易で、個別制御が可能な折畳式ＬＥＤ灯を提供することを目的とする。
【０００７】
また、本発明は、一つのＬＥＤ灯が故障または破損される場合、個別制御が可能であって補修作業が容易な折畳式ＬＥＤ灯を提供することを目的とする。
【０００８】
また、本発明は、個々のＬＥＤ灯を個別制御することができ、状況による照度選択及び維持費用の節減が可能な折畳式ＬＥＤ灯を提供することを目的とする。
【０００９】
また、単一長軸型製品に比べ、生産性が高く、包装及び運送上の不利な点を解決することができるし、設置の際に単純組立て構造体の折畳方式を用いて既存の長軸型製品の欠点を克服して容易性を提供することを目的とする。
【課題を解決するための手段】
【００１０】
前記のような目的を達成するために、本発明の折畳式ＬＥＤ灯は、内側にＬＥＤ素子を備えた回路基板を備え、一端部に端子キャップを備え、他端部に第１エンドキャップを備える第１胴体部、前記第１胴体部と結合され、内側にＬＥＤ素子を備えた回路基板を備え、一端部に端子キャップを備え、他端部に第２エンドキャップを備える第２胴体部、及び前記第１胴体部の第１エンドキャップ及び第２胴体部の第２エンドキャップを折畳可能にヒンジ結合する結合片を含んでなる。
【００１１】
また、前記第１胴体部及び第２胴体部は、それぞれ回路基板を備えたフレームと、前記フレームの下端部に結合され、フレームに備えられた回路基板を収容する形態に結合されるカバーとからなり、前記第１胴体部の第１エンドキャップの一側には外部に突出する形態の結合突起が形成され、第２胴体部の第２エンドキャップの一側には、前記結合突起に対応して、前記結合突起が挿入される結合孔が形成されることで、第１及び第２胴体部を棒状に変形したときに結束力を高めたため、前記第１胴体部の第１エンドキャップの一側には位置補正突起が形成され、第２胴体部の第２エンドキャップの一側には、前記位置補正突起に対応して、位置補正突起が内挿される位置補正孔が形成されることで、第１胴体部及び第２胴体部が一直線上に位置するようになる。
【００１２】
これは、前記第１胴体部は雄型に形成し、前記第２胴体部は雌型に形成して、結合片を中心にしてヒンジ結合させるためのものである。
【００１３】
このような構造によって、保管及び移動の際には、第１胴体部及び第２胴体部を折り畳んで使うようになり、設置の際には折り畳まれた第１胴体部及び第２胴体部の折畳部分を展開して棒状に変形して使うようになる。
【発明の効果】
【００１４】
本発明の折畳式ＬＥＤ灯を提供することにより、保管及び移動が容易であり、一つのＬＥＤ灯が故障または破損される場合、個別制御が可能で補修作業が容易であり、状況による照度選択及び維持費用の節減が可能な効果がある。
【図面の簡単な説明】
【００１５】
【図１】本発明の斜視図である。
【図２】本発明の展開斜視図である。
【図３】本発明の断面図である。
【図４】本発明の折畳式ＬＥＤ灯の折畳後の斜視図である。
【図５】本発明の動作状態を示すための例示図である。
【発明を実施するための形態】
【００１６】
以下、本発明の折畳式ＬＥＤ灯を当業者が容易に実施できるように、添付図面に基づいて詳細に説明する。
【００１７】
図１は本発明の斜視図、図２は本発明の展開斜視図、図３は本発明の断面図である。
【００１８】
図１〜図３を参照して詳細に説明すれば、本発明の折畳式ＬＥＤ灯は、第１胴体部１、第２胴体部２、及び第１胴体部１と第２胴体部２を折畳可能に結合する結合片３でなる。
【００１９】
ここで、フレーム１ａと、前記フレーム１ａに結合されるカバー１ｂとからなる第１胴体部１の内側に多数のＬＥＤ素子が装着された回路基板１１を備えており、一端部に灯器具の接続端子と結合される端子キャップ１２が備えられる。
【００２０】
すなわち、フレーム１ａの下端部に回路基板１１が備えられ、前記のように回路基板１１が備えられたフレーム１ａにカバー１ｂが結合され、胴体部１の内側に回路基板１１が位置するようにすることで、汚染及び破損などの外部要因から光源である回路基板１１を保護するためのものである。
【００２１】
前記第１胴体部１にヒンジ結合される第２胴体部２も、フレーム２ａと、前記フレーム２ａに結合されるカバー２ｂとからなり、内側に多数のＬＥＤ素子が装着された回路基板２１を備えており、一端部に灯器具の接続端子と結合される端子キャップ２２が備えられる。
【００２２】
これは前述した第１胴体部１のフレーム１ａ及びカバー１ｂの構成と同様なもので、より詳細に説明すれば、第２胴体部２のフレーム２ａにカバー２ｂが結合されるとき、フレーム２ａの下端部に回路基板２１が備えられ、回路基板２１を収容する形態にカバー２ｂがフレーム２ａに結合されるものである。
【００２３】
ここで、前記第１胴体部１の端子キャップ１２及び第２胴体部２の端子キャップ２２は一側に接続端子（図示せず）を備える形態に形成される。
【００２４】
前記接続端子（図示せず）は内側に備えられたそれぞれの回路基板１１、２１に結線されることにより、ＬＥＤ素子に電源を供給するようになる。
【００２５】
前記のように端子キャップ１２が備えられた第１胴体部１の反対側端部には第１エンドキャップ１３が備えられる。
【００２６】
前記第１エンドキャップ１３は第２胴体部２の第２エンドキャップ２３に対応して結束されるものである。
【００２７】
前記第１胴体部１と第２胴体部２は、その第１エンドキャップ１３及び第２エンドキャップ２３の一側に設けられた結合片３によってヒンジ結合されて折畳可能なものである。
【００２８】
図４は本発明の折畳式ＬＥＤ灯の折畳後の斜視図である。
【００２９】
図４を参照して詳細に説明すれば、第１胴体部１と第２胴体部２は結合片３を介してヒンジ結合されているので、折畳が容易になるように構成される。
【００３０】
この際、前記第１胴体部１の第１エンドキャップ１３は第２胴体部２の第２エンドキャップ２３と対応するように形成され、結合片３を介して折畳可能になるように結合される。
【００３１】
前記第１エンドキャップ１３の一側には外部に突出する形状の結合突起１４が形成され、前記結合突起１４に隣接した第１エンドキャップ１３の中心部に位置補正突起１５が形成され、下端部に結合片結束溝１６が形成される。
【００３２】
ここで、前記結合突起１４は端部に楔状の係止部が形成されることで、第１エンドキャップ１３が第２エンドキャップ２３に結束されるとき、挿合孔２４に係止されることにより、結束し易く形成される。
【００３３】
また、前記位置補正突起１５は、第１エンドキャップ１３が第２エンドキャップ２３と結束されるとき、位置を補正するためのもので、第２エンドキャップ２３の一側に形成された位置補正孔２５に内挿されることで、第１胴体部１と第２胴体部２が水平状態を維持するようにするものである。
【００３４】
前記のように構成された第１エンドキャップ１３の上端部一側には開口部１８がさらに形成され、前記開口部１８は第１胴体部１の内側に形成された通気孔１７に対応するように形成される。
【００３５】
より詳細に説明すれば、ＬＥＤ素子を光源として使用する灯器具は、ＬＥＤ素子から発生する熱を発散して冷却させるための構造として通気孔などを備えるようになる。本発明においても、内側に備えられる光源ＬＥＤ素子から発生する熱気を放出するため、第１胴体部１の内側に通気孔１７が形成されている。
【００３６】
すなわち、第１胴体部１のフレーム１ａの一側に通気孔１７が形成され、前記通気孔１７に隣接したフレーム１ａの下端部に回路基板１１が結束されることにより、ＬＥＤ素子から発生する熱気を放出するものである。
【００３７】
このような通気孔１７に外部空気を循環させるために、第１エンドキャップ１３の一側に開放した開口部１８がさらに形成され、前記開口部１８と通気孔１７が対応するようにして、通気孔１７に外部空気を循環させることができるようにするものである。
【００３８】
前記のように構成された第１エンドキャップ１３に対応する第２エンドキャップ２３は、一側に結合突起１４が内挿されて結束することができるように、挿合孔２４が形成され、中心部に位置補正突起１５が内挿されるように位置補正孔２５が形成され、下端部に結合片３がヒンジ結合できるように結合片結束溝２６が形成される。
【００３９】
ここで、前記挿合孔２４の内側には、結合突起１４の係止片が係止されるように、係止段が形成されることで、結合突起１４との結束力を高めるように形成される。
【００４０】
また、前記第２エンドキャップ２３の上端部には、一部が開放した開口部２８が第２胴体部２の内側に形成された通気孔２７に対応するように形成される。
【００４１】
ここで、前記開口部２８及び通気孔２７は第１胴体部１の開口部１８及び通気孔１７と同様な機能をするものなので、これについての詳細な説明は省略する。
【００４２】
図５は本発明の動作状態を示すための例示図である。
【００４３】
図５を参照して詳細に説明すれば、第１胴体部１と第２胴体部２は、その間にヒンジ結合される結合片３を介して回動が容易になるように結合される。
【００４４】
より詳細に説明すれば、移動及び保管のために、結合片３を介して第１胴体部１と第２胴体部２が折畳式で結合されている本発明の折畳式ＬＥＤ灯は、使用の際、結合片３を基準として第１胴体部１と第２胴体部２が回動して一直線上になって使われるようになる。
【００４５】
この際、前記第１胴体部１の第１エンドキャップ１３の一側に形成された結合突起１４を第２エンドキャップ２３の一側に形成された結合孔２４に挿入して結束すると同時に位置補正突起１５を位置補正孔２５に挿入することにより、第１胴体部１と第２胴体部２が水平状態を維持するようになるものである。
【００４６】
前記のような方法によって、保管及び移動の際に折り畳まれていた本発明のＬＥＤ灯を棒状に展開して使うようになるものである。
【００４７】
一方、使用中の棒状のＬＥＤ灯は、棒状に変形する過程の逆過程によって折り畳んで保管及び移動を容易にすることができるものである。
【産業上の利用可能性】
【００４８】
本発明は、折畳式で形成されて保管及び移動が容易な折畳式ＬＥＤ灯に適用可能である。
【符号の説明】
【００４９】
１    第１胴体部
１ａ    フレーム
１ｂ    カバー
２    第２胴体部
２ａ    フレーム
２ｂ    カバー
３    結合片
１１    回路基板
１２    端子キャップ
１３    第１エンドキャップ
１４    結合突起
１５    位置補正突起
１６    結合片結束溝
１７    通気孔
１８    開口部
２１    回路基板
２２    端子キャップ
２３    第２エンドキャップ
２４    挿合孔
２５    位置補正孔
２６    結合片結束溝
２７    通気孔
２８    開口部
【図１】
2014216072.tif 000003
【図２】
2014216072.tif 000004
【図３】
2014216072.tif 000005
【図４】
2014216072.tif 000006
【図５】
2014216072.tif 000007